(57)【要約】【課題】異幅の建枠間のブレース相互係止を可能とする異幅建枠用のブレース接続手段を提供する。【解決手段】適宜長の管体または棒体による接続本体を設け、該接続本体において、その一端に水平補強柱体受け部を設け、側面中間位置に添設柱体固定具を設け、接続本体側面の一端近傍および他端近傍に、グラビティロックを、前記添設柱体固定具と平面視反対方向に各々設けたことを特徴とする。【選択図】図１
2015232250.tif 000002
【特許請求の範囲】
【請求項１】
適宜長の管体または棒体による接続本体を設け、該接続本体において、その一端に水平補強柱体受け部を設け、側面中間位置に添設柱体固定具を設け、接続本体側面の一端近傍および他端近傍に、グラビティロックを、前記添設柱体固定具と平面視反対方向に各々設けたことを特徴とする異幅建枠用ブレース接続体。
【請求項２】
水平補強柱体受け部を、コ字形板体としてなる請求項１記載の異幅建枠用ブレース接続体。
【請求項３】
添設柱体固定具を、各々湾曲端部と孔を有する固着板と添設板よりなる一組の板体により形成し、固着板端を接続本体側面に固着し、添設板を固着板に孔に挿通される螺合部材にて螺着可能に構成してなる請求項１または２記載の異幅建枠用ブレース接続体。
【請求項４】
グラビティロックを、その先端にスリットを有する棒体もしくは管体による主体を設け、該スリットを貫通固定されるピンと、長穴を有するとともに該ピンを長穴内に位置させて主体に対して平行移動および回動を可能とした回動板を設けて、この回動板の回動の可能と不可能の選択ができるよう構成したものとした請求項１〜３のいずれかの項に記載の異幅建枠用ブレース接続体。
【請求項５】
グラビティロックを、その先端に有底のスリット状凹部を形成した棒体を設けるとともに、該スリット状凹部を貫通固定されるピンを設け、該ピンに軸支されつつスリット状凹部内を所定範囲内にて回動可能なる回動体を設け、該回動体とスリット状凹部底面間にバネを介在させることにより、回動体に対する外方向への付勢力を有するものとして、以上の構成によるバネ型のグラビティロックとしてなる請求項１〜３のいずれかの項に記載の異幅建枠用ブレース接続体。
【発明の詳細な説明】
【技術分野】
【０００１】  この発明は、建設現場等にて使用される幅の異なる建枠を同時に使用する場合に用いる、異幅建枠用のブレース接続体に関する。
【背景技術】
【０００２】  従来より、異幅の建枠を使用するときは、各々独立した建枠を並べて用いており、本発明にて示すように、共通脚部方式の異幅建枠使用のための専用のブレース接続体は見当たらない。
【発明の概要】
【発明が解決しようとする課題】
【０００３】  建設現場等にて使用される枠組み足場は、門形をした二本の建枠をＸ字状のブレースで連結し、建枠頂部の横桟管体の間に布板を載置係止したものをユニットとし、このユニットを建設現場の幅と高さに応じて左右・上下に連結して枠組み足場を構成する。
この枠組み足場には、昇降階段が用いられるために、異幅の建枠が同時使用される。
すなわち、広幅の建枠側に昇降階段が斜設され、この階段に近接して狭幅の建枠が位置する。反対側の建枠位置は、建物に沿うために一直線となっている。【０００４】  建枠には各々直立管体による脚部が存在するために、上述の広幅と狭幅の建枠は各々脚部を有して互いに近接して位置するが、その構造上、広幅の建枠と狭幅の建枠間には若干の距離があるために、作業者の安全のためにその隙間をふさぐ板を必要とする。
また、広幅と狭幅の建枠設置の位置と方向の正確さが求められる。枠組み足場にはその補強と接続のためにブレース（筋交い）がＸ字状に設けられるが、建枠の幅が異なると、このブレースの取り付け位置の共通性が失われるために、既述のように異幅の建枠を近接して並設しているのが現状であるが、この異幅の各建枠を一体化できれば、設置作業および設置スペース等において有利となるが、このような手段は見当たらないのが現状である。【０００５】  本発明は以上に鑑み、異幅の建枠の同時近接使用時におけるブレース接続幅の差異を解決するとともに、建枠の脚部の共通性を有して、従来法に比べて利便性に富む、新規かつ有用なる手段を提供することを目的として発明開発されたものである。
【課題を解決するための手段】
【０００６】  課題を解決する手段として本発明は以下の構成とした。
すなわち、本発明の第一は、適宜長の管体または棒体による接続本体を設け、該接続本体において、その一端に水平補強柱体受け部を設け、側面中間位置に添設柱体固定具を設け、接続本体側面の一端近傍および他端近傍に、グラビティロックを、前記添設柱体固定具と平面視反対方向に各々設けたことを特徴とする異幅建枠用ブレース接続体である【０００７】  本発明の第二は、水平補強柱体受け部を、コ字形板体としてなる請求項１記載の異幅建枠用ブレース接続体である。【０００８】  本発明の第三は、添設柱体固定具を、各々湾曲端部と孔を有する固着板と添設板よりなる一組の板体により形成し、固着板端を接続本体側面に固着し、添設板を固着板に孔に挿通される螺合部材にて螺着可能に構成してなる請求項１または２記載の異幅建枠用ブレース接続体である。【０００９】  本発明の第四は、グラビティロックを、その先端にスリットを有する棒体もしくは管体による主体を設け、該スリットを貫通固定されるピンと、長穴を有するとともに該ピンを長穴内に位置させて主体に対して平行移動および回動を可能とした回動板を設けて、この回動板の回動の可能と不可能の選択ができるよう構成したものとした請求項１〜３のいずれかの項に記載の異幅建枠用ブレース接続体である。【００１０】  本発明の第五は、グラビティロックを、その先端に有底のスリット状凹部を形成した棒体を設けるとともに、該スリット状凹部を貫通固定されるピンを設け、該ピンに軸支されつつスリット状凹部内を所定範囲内にて回動可能なる回動体を設け、該回動体とスリット状凹部底面間にバネを介在させることにより、回動体に対する外方向への付勢力を有するものとして、以上の構成によるバネ型のグラビティロックとしてなる請求項１〜３のいずれかの項に記載の異幅建枠用ブレース接続体である。
【発明の効果】
【００１１】  請求項１の発明によれば、添設柱体固定具にて接続本体を建枠の添設柱体に押圧固定することができ、水平補強柱体受け部内に建枠の水平補強柱体を当接位置させて、以上にて建枠に接続本体を安定的に固定することができるとともに、ブレース取り付け位置の幅方向差異を解消しつつ上部と下部のグラビティロックにてブレースを係止する事ができるために、異幅の建枠を一体的に用いることができる。【００１２】  請求項２の発明によれば、水平補強柱体受け部をコ字形としたので、水平補強柱体をこのコ字形受け部内に位置させて、建枠に対する接続本体の回動的位置変化（ねじれ）を防止することができる。【００１３】  請求項３の発明によれば、一対の湾曲部を有する板体にて添設柱体を押圧挟持する方式による添設柱体固定具としたので、接続本体を添設柱体に容易かつ確実に固定することができる。【００１４】  請求項４の発明によれば、主体に設けたスリット内にて長穴を有する回動板の回動と平行移動を可能としたので、簡易な操作にてブレースの着脱を確実に行うことができる。【００１５】  請求項５の発明によれば、バネ型のグラビティロックとしたので、前記のグラビティロックに比べてより容易にブレースの着脱を行うことができる。
【図面の簡単な説明】
【００１６】
【図１】  本発明の斜視図
【図２】  本発明のグラビティロックの拡大平面図
【図３】  本発明のグラビティロックの機能説明図（正面視）
【図４】  公知のグラビティクランプの構造概略説明図（平面視）
【図５】  公知のグラビティクランプの構造概略説明図（正面視）
【図６】  公知のグラビティクランプに用いるバネ型グラビティロックの機能説明図
【図７】  本発明の斜視図（バネ型グラビティロック使用時）
【図８】  従来の枠組み足場構成説明図（平面視）
【図９】  従来の枠組み足場構成説明図（正面視）
【図１０】  本発明使用時の枠組み足場構成説明図（平面視）
【図１１】  本発明使用時の枠組み足場構成説明図（正面視）
【図１２】  本発明の取り付け状態説明図
【図１３】  本発明の使用説明図（布板除去時）
【図１４】  本発明使用における要部拡大説明図（布板除去時）
【発明を実施するための最良の形態】
【００１７】  以下、本発明の実施形態について説明する。
図において、１はブレース接続体で、以下の構成による。
２は接続本体で、建枠の高さよりやや短い適宜径の管体である。３は水平補強柱体受け部で、上方に開口する略コ字形の金属板折曲体であって、後述の水平補強柱体外径よりやや広い幅を有し、接続本体２の上端に固着される。４は添設柱体固定具である。この添設柱体固定具は、固着板５と添設板６から構成される。固着板５は小平板の一端に湾曲部５ａを形成し、他端を接続本体２の中間部側面に固着したものである。添設板６は、固着部と同一の湾曲部６ａを有する小平板である。この固着部と添設板の平板部分略中央には孔が穿設され、この孔を介してボルトとナット螺着にてこの双方部材は固定される。なお、この湾曲部の内面曲率は、後述の添設柱体外径と近似である。【００１８】  ７は上部グラビティロックである。これは、以下の構成による。
８は主体で、短丸棒の先端を略半球状に形成したもので、その先端近傍には上下方向に適宜幅のスリット９が設けられる。１０は回動板で、その側面に長穴１１が設けられ、この回動板の一端は半円形に、他端は円弧形に設けられる。上記スリットには貫通するピン１２が固定され、上記長穴内にこのピンが位置する。従って、回動体は図３にて示すようにスリット内を回動と平行移動が可能である。図３上図は回動板と主体は平行であり、回動板の円弧部はスリット内にある。この状態では、図の仮想線で示す有孔物体は、回動板と主体を通過して主体右方に移動する事ができる。なお、主体に管体を用いてもよい。【００１９】  この移動後に、回動板を時計回りに回動させて手を離すと、回動板の重量にて、この回動板は下方移動してピンは長穴の上部に位置し、図３下図の状態となる。
この状態において、回動板の回動は、スリットとの位置関係から阻止されるめに、右方移動した物体の主体からの脱落が防止される。物体を主体から取り外すときは、回動板をつまんで上方移動させると、回動可能となって既述と逆の手順にて取り外すことができる。
このグラビティロックは、管体上部側面と下部側面に各々固着突設して設けられ、その方向は前記の添設柱体固定具の反対側である。【００２０】  次に、グラビティクランプ２０について説明する。図において、２１は主開閉体で、平面視湾曲部材である。２２は副開閉体で、主開閉体と近似の湾曲部材である。この双方の開閉体はその一端は軸支され、他端が開閉する。主開閉体の両端は二股になり、下方の二股部分には雄ねじ２３の一端が軸支され、この雄ねじの他方は副開閉体の一端を貫通して突出し、この突出部分にナット２４が螺合する。従って、このナット操作にて、二つの開閉体端間距離は可変である。２５はバネ型グラビティロックであり、前記の主開閉体側面に突設される。このバネ型グラビティロックは以下の構成による。２６は丸棒状の基部で、この基部の中央には有底のスリット状凹部２７が形成される。【００２１】  ２８は回動体で、上記凹部内を回動するが、回動体の一端近傍はピン２９にて基部に軸支される。３０は凹部内に固着して位置する略Ｕ形の板バネであり、図６にて示すように、このバネは緩やかな折曲鋼板であって、その一方の側面は凹部内底面に固着され、他方は回動体下面に固着される。従って、この回動体は常に外方向に付勢されている。【００２２】  以上から、有孔の物品を図にて右方から挿入するとき、この回動体はバネの反発力に逆らって凹部内方向へと回動して回動体上端位置は凹部上面と一致し、有孔物品を左方へと移動させることができる。有孔物品が回動体から外れると、バネの付勢力にて回動体は図のごとく凹部から突出し、その端部は基体に対し垂直であるため、有孔物品の基体からの脱落は阻止される。有孔物品を基体から外すときは、指にてこの回動体を凹部内に押し込んで回動体上端を凹部上端より下方に位置させることにて、有孔物品を基体から右方移動にて外すことができる。【００２３】  次に、本発明の使用について説明する。はじめに、枠組み足場に使用する建枠構造について説明する。図１２は、本発明に関連して使用する鳥居型の建枠への取り付け状態図である。図において、４０は建枠で以下の構成による。４１は直立柱体で所定長の管体、４２は水平柱体で、一対の直立柱体上端間に水平に固着される管体である。４３は添設柱体で、上記柱体より小径の下方湾曲管体であって、その上端は水平柱体下面に、下端は直立柱体側面に各々固着される。４４は接続体で、短管体であって添設柱体と直立柱体間に固着される。４５は水平補強柱体で、前記添設柱体と同程度の外径を有する管体であって、一対の添設柱体間において上部近傍に固着される。【００２４】  以上の鳥居型の建枠は、建設現場において、上下左右に連結して多数使用されるが一般的には、建枠の直立柱体下方は固定型ベース金具に挿入固定される。この固定型ベース金具下部には平板が固定されており、建地にかかる荷重を敷板等を介して地盤に伝えられる。
直立柱体の内方側面にはグラビティロックが上下に突設され、全体図示ではバネ式のグラビティロックを用いた例を示している。このグラビティロックは、ブレースを係止するためのものであって、図８〜図１１のごとく正面視においてブレースはＸ状に配置されて、これにて各足場間が強固に接続され一体化となる。通常はこれが連続的になされる。建枠の水平柱体間には布板５１が取り付けられる。この布板は両端にフック部を有する金属板体であって、このフック部が水平柱体に係合する。【００２５】  作業者は、この布板に乗って作業するが、昇降手段が必要であって、そのために階段が設けられる。しかし、設置スペースの関係から平面視における突設箇所を避けるために、この鳥居型建枠を、広幅と狭幅の異幅を用いて、この幅サイズ差を階段設置に利用するのであるが、ブレース接続に難を生ずる、つまり、ブレース固定は直立柱体に設けられるグラビティロックによりなされるが、幅の違いのために、広幅のブレースをそのまま狭幅のブレースとして用いることはできない。何らかのこの寸法差異の吸収手段が必要となり、このために本発明によるブレース接続体が発明されたのである。【００２６】  以上が公知の建枠とその課題であって、本発明の異幅建枠用ブレース接続体は、以下のごとく建枠に取り付けられる。この異幅建枠用ブレース接続体は、広幅の建枠に取り付けて用いられる。既述の添設柱体固定具４における固着板５より添設板６を取り外し、添設柱体４３の側部にこの固着部の湾曲部分をあてがい、添設板６にて挟むように、ボルトとナットにて固定し、これにて添設柱体は添設柱体固定具に押圧保持される。このとき、水平補強柱体受け部３内には水平補強柱体が当接して位置する。また、グラビティロックは建枠内方に向かって突出している。【００２７】  さらに、既述のグラビティクランプは、ブレース接続体取り付け位置と反対側の直立柱体に同様に押圧固定され、バネ式グラビティロックは建枠内方へ突出して位置し、その上下位置はブレース接続体のグラビティロックロックと同じである。以上にて準備が整い、ブレース係止が可能となる。広幅の建枠のブレース係止位置と、狭幅のブレース係止位置は自ずからその位置が異なるが、本発明にてこれが解消する。【００２８】  すなわち、図１３〜図１４にて示すように、広幅建枠の直立柱体位置より本発明のブレース接続体のグラビティロックは内側に位置し、この位置は狭幅の建枠のグラビティロック位置に等しい。従って広幅の建枠と狭幅の建枠は接続して一体化することができ、図１４のごとき状態となる。ブレース接続体取り付けと反対側の広幅建枠直立柱体にはその高さを違えて、広幅建枠側のブレースと狭幅建枠のブレースが係止可能状態となる。
以上にて、広幅と狭幅の建枠は一体的に用いることができる。【００２９】  以上、本発明について記したが、本発明は広幅の建枠内側に取り付けて幅狭の建枠と共通のブレース取り付け位置を設けることによって、広幅狭幅双方の建枠を一体的に利用できる利点を有するものである。従来はこのような手段が存在しないために、広幅と狭幅の建枠を各々独立させて用い、そのセッティングに時間と労力を要し、また、双方建枠の設置位置と方向にも留意が必要であったが、本発明にて双方建枠の一体化が可能となって、より利便性に富むものとなったのである。【００３０】  なお、既例においては、水平補強柱体受け部をコ字形板体としたが、他にＶ形やＵ形の受け部としてもよい。あるいは、接続本体にやや太めの管体を用い、その上端を所定幅と深さに切除して、コ字形の空隙部を設けて、これを受け部としてもよい。また、添設柱体固定具は、既例においては、その先端に湾曲部を有する一組の板体にて形成したが、これもＶ形やＵ形として形成してもよい。あるいは、既述したグラビティクランプ的構成としてもよい。なお、本発明の原理上、本発明品装着時において、広幅建枠の直立柱体軸心と、本品の接続本体軸心間距離は、広幅建枠と狭幅建枠の幅差に等しくなる。また、接続本体長は建枠の直立柱体長より短く形成され、使用時においては、接続本体下端位置は建枠直立柱体下端位置よりやや上方となる。
以上のごとく、本発明によって異幅建枠を一体的に用いるための有意な手段を得ることができる。
【符号の説明】
【００３１】１  ブレース接続体
２  接続本体
３  水平補強柱体受け部
４  添設柱体固定具
５  固着板
５ａ  湾曲部
６  添設板
６ａ  湾曲部
７  上部グラビティロック
８  主体
９  スリット
１０  回動板
１１  長穴
１２  ピン
１３  下部グラビティロック
１４  上部バネ型グラビティロック
１５  下部バネ型グラビティロック
２０  グラビティクランプ
２１  主開閉体
２２  副開閉体
２３  雄ねじ
２４  ナット
２５  バネ型グラビティロック
２６  基部
２７  スリット状凹部
２８  回動体
２９  ピン
３０  板バネ
４０  建枠
４１  直立柱体
４２  水平柱体
４３  添設柱体
４４  接続体
４５  水平補強柱体
５０  ブレース
５１  布板
【図１】
2015232250.tif 000003
【図２】
2015232250.tif 000004
【図３】
2015232250.tif 000005
【図４】
2015232250.tif 000006
【図５】
2015232250.tif 000007
【図６】
2015232250.tif 000008
【図７】
2015232250.tif 000009
【図８】
2015232250.tif 000010
【図９】
2015232250.tif 000011
【図１０】
2015232250.tif 000012
【図１１】
2015232250.tif 000013
【図１２】
2015232250.tif 000014
【図１３】
2015232250.tif 000015
【図１４】
2015232250.tif 000016